(57)【要約】【課題】清掃シートと連結部の結合力の向上を図る。【解決手段】清掃シート２０を連結部３０を介してホルダ先端の清掃シート取付け部５０に脱着自在に装着し、かつ、上記ホルダ４０に洗浄水補給手段６０を設けた洗浄具である。上記連結部３０の底部３１に多数の係止針３２を設け、該係止針３２によって上記清掃シート２０を脱着自在に保持する。【選択図】図１
2009045181.tif 000002
【特許請求の範囲】
【請求項１】
清掃シートを連結部を介してホルダ先端の清掃シート取付け部に脱着自在に装着し、かつ、上記ホルダに洗浄水補給手段を設けた洗浄具において、上記連結部の底部に多数の係止針を設け、該係止針によって上記清掃シートを脱着自在に保持することを特徴とする洗浄具。
【請求項２】
上記係止針の先端に頭部を設け、該頭部によって上記清掃シートとの結合力を高めるようになした請求項１記載の洗浄具。
【請求項３】
上記係止針を、上記頭部の膨出部が互いに向き合うように千鳥状に配列して係止針群を形成し、かつ、この係止針群を並列に複数列配置させた請求項２記載の洗浄具。
【請求項４】
上記洗浄水補給手段を、両持ち式の板ばねと、該板ばねに装着した洗浄水吐出孔開閉用の栓と、一端を上記栓に装着すると共に他端にレバー操作稈を立設し、かつ、中央部を支点にして揺動可能なレバーにより形成してなる請求項１記載の洗浄具。
【発明の詳細な説明】
【技術分野】
【０００１】
本発明は、茶碗などの食器類、もしくは鍋などの調理器類、さらにはレンジフードなどの台所備品を洗浄するための洗浄具、更に詳しくは、交換可能な洗浄清掃シートを有する一方、洗浄水の補給手段を有する洗浄具に関する。
【背景技術】
【０００２】
従来の洗浄具は、例えば、洗浄清掃シートの摩耗や損傷、或いは、劣化などによって使用に耐えられなくなった場合、損傷した古い清掃シートを新品の洗浄清掃シートと交換できるようになっている。
【０００３】
しかし、図７に示すように、従来の洗浄清掃シート１１０は、清掃シート部１２０と連結部１３０とが互いに結合して一体化しているため、損傷した古い洗浄清掃シートを廃棄すると、損傷などのない連結部１３０も損傷した古い清掃シート部と一緒に破棄されるため、連結部１３０の分に相当するゴミ量が増加する。ゴミの増加は、焼却場の負担増などに連なる恐れがある。
【０００４】
そこで、損傷した古い清掃シート部のみを廃棄し、連結部を繰り返して使用できるようにするために、清掃シート部と連結部とを両面テープによって止着することを思いついたが、両面テープが剥がれ易いと言う問題があった。その理由については、確認していないが、多分、洗浄水によって両面テープの接着力が低下するためではないかと思われる。
【０００５】
他方、従来の洗浄具１００は、ホルダ１４０内に洗浄水ａを収容できるようになっており、半球状のゴム製の弁１４１を矢印Ａの方向に押すことにより、ホルダ１４０内に収容した洗浄水ａを加圧ポンプの作用によってノズル１４２の細孔部１４３から洗浄清掃シート１１０の背面側１１１に向けて噴出するようになっている。しかし、洗浄水の凝縮物が生じた場合、ノズル１４２の細孔部１４３が目詰まりすることも考えられる。
【発明の開示】
【発明が解決しようとする課題】
【０００６】
本発明は、上記のような問題を解消するためになされたものであり、第１の目的は、清掃シートと連結部の結合力の向上を図ることにある。第２の目的は、洗浄水補強部の目詰まりを防止することにある。
【課題を解決するための手段】
【０００７】
本発明は、上記の目的を達成するため、次のように構成されている。
請求項１の記載に係る発明は、清掃シートを連結部を介してホルダ先端の清掃シート取付け部に脱着自在に装着し、かつ、上記ホルダに洗浄水補給手段を設けた洗浄具において、上記連結部の底部に多数の係止針を設け、該係止針によって上記清掃シートを脱着自在に保持することを特徴とする洗浄具である。
【０００８】
請求項２の記載に係る発明は、請求項１において、上記係止針の先端に頭部を設け、該頭部によって上記清掃シートとの結合力を高めることを特徴とする洗浄具である。
請求項３の記載に係る発明は、請求項２において、上記係止針を、上記頭部の膨出部が互いに向き合うように千鳥状に配列して係止針群を形成し、かつ、この係止針群を並列に複数列配置させたことを特徴とする洗浄具である。
【０００９】
請求項４の記載に係る発明は、請求項１において、上記洗浄水補給手段を、両持ち式の板ばねと、該板ばねに装着した洗浄水吐出孔開閉用の栓と、一端を上記栓に装着すると共に他端にレバー操作稈を立設し、かつ、中央部を支点にして揺動可能なレバーにより形成してなる洗浄具である。
【発明の効果】
【００１０】
請求項１の記載に係る発明は、清掃シートを連結部を介してホルダ先端の清掃シート取付け部に脱着自在に装着し、かつ、上記ホルダに洗浄水補給手段を設けた洗浄具において、上記連結部の底部に多数の係止針を設け、該係止針によって上記清掃シートを脱着自在に保持するため、清掃シートが摩耗や損傷、或いは、劣化などによって使用に耐えられなくなった場合、損傷した古い清掃シートのみを新品の清掃シートと簡単に交換することが可能になった。また、多数の係止針によって清掃シートを保持しているため、洗浄水によって結合力が左右されることもない。
【００１１】
請求項２の記載に係る発明は、上記係止針の先端に頭部を設け、該頭部によって上記清掃シートとの結合力を高めるため、洗浄水によって係止針の結合力が左右されることもなく、長期に渡って安心して使用することが可能になった。
【００１２】
請求項３の記載に係る発明は、上記係止針を、上記頭部の膨出部が互いに向き合うように千鳥状に配列して係止針群を形成し、かつ、この係止針群を並列に複数列配置させたため、上記清掃シートを、より一層強固に保持することが可能になった。
【００１３】
請求項４の記載に係る発明は、上記洗浄水補給手段を、両持ち式の板ばねと、該板ばねに装着した洗浄水吐出孔開閉用の栓と、一端を上記栓に装着すると共に他端にレバー操作稈を立設し、かつ、中央部を支点にして揺動可能なレバーにより形成してため、洗浄水の一部が凝固した場合でも、洗浄水吐出孔の目詰まりを防ぐことが可能になった。
【発明を実施するための最良の形態】
【００１４】
以下、本発明の実施の形態を図面を用いて説明する。
図２に示すように、本発明の洗浄具１０は、清掃シート２０と、連結部３０と、ホルダ４０により形成され、上記清掃シート２０を上記連結部３０を介してホルダ先端の清掃シート取付け部５０に脱着自在に装着するようになっている。連結部３０は、図１に示すように、その底部３１に多数の係止針３２を備えており、これらの係止針３２によって清掃シート２０を脱着自在に保持している。したがって、損傷した古い清掃シートのみを簡単に交換することができる。連結部３０と係止針３２は、合成樹脂によって一体的に成形されている。
【００１５】
係止針３２は、図４に示すように、軸３３と頭部３４により形成され、頭部３４によって清掃シート２０との結合力を高めるようになっている。頭部３４は、１／４球形状に形成されている。即ち、頭部３４は、図４に示すように、背面側から見ても半球形状であり、また、図５に示すように、平面視でも半球形状になっている。更に、この係止針３２は、頭部３４の出っ張り部３４ａが互いに向き合うように千鳥状に配列され、係止針群Ｇを形成するようになっている。この係止針群Ｇは、並列に複数列配置されている。
【００１６】
連結部３０は、図３に示すように、ほぼ卵形に形成され、その上面側には、前端周辺部３５に沿って第１の係合部３６を備えている。この第１の係合部３６は、図６に示すように、横断面Ｖ字形の溝３７を有し、清掃シート取付け部５０の周辺に設けた楔形の第２の係合部５１と係合するようになっている。また、連結部３０は、図４に示すように、後端部に第１のレバー３８を備えており、この第１のレバー３８を矢印Ｂのように押し下げることによって連結部３０からホルダ４０を引き抜くことができるようになっている（図１参照。）。更に、連結部３０は、そのほぼ中央部に洗浄水が通過する貫通孔３９を設けている。
【００１７】
他方、上記ホルダ４０は、透明な合成樹脂によって形成されており、内部に収容した洗浄水ａを透視できるようになっている（図１参）。更に、このホルダ４０は、洗浄水補給手段６０を備え、清掃シート２０の背面側に洗浄水ａを補給できるようになっている。
なお、洗浄水ａは、通常、界面活性剤などを含有する水溶液であるが、後記するように、清掃シート０（軟質部２０ａおよび／または硬質部２０ｂ）に、重曹やクエン酸などの洗浄剤が含有されている場合や、該清掃シート２０に別途、界面活性剤などを付与して使用する場合には、通常の水であってもよい。
【００１８】
この洗浄水補給手段６０は、主として、板ばね６１と、栓６２と、第２のレバー６３により形成されている。板ばね６１は、その両端がホルダ４０内の支持具４１、４２によって支持され、そのほぼ中央にゴム製の栓６２を備えている。第２のレバー６３は、その中央部６４が後方の支持具４２の頂部に設けた支点４３によって支えられ、その前端部は、ピン６５によって栓６２に取り付けられている。また、その後端部には、レバー操作稈６６が立設されている。
【００１９】
栓６２は、密閉用の大径部６２ａと、ガイド用の小径部６２ｂから成り、通常、大径部６２ａによって清掃シート取付け部５０の底部５２に設けた洗浄水補給孔５３を密閉するようになっている。また、レバー操作稈６６は、その先端部が洗浄水供給口４４よりも外方に、多少、突出するようになっている。洗浄水供給口４４は、通常、ゴム製のドーム形の蓋４５によって密閉されている。この蓋４５は、ゴム製のベルト４６によってホルダ４０の握り部４７に取り付けられている。この握り部４７は、図２に示すように、フック掛け用の貫通孔４８を有している。
【００２０】
図１に示すように、ホルダ先端の清掃シート取付け部５０の底部５２に設けた洗浄水補給孔５３は、通常、栓６２の大径部６２ａによって密閉されているが、洗浄水供給口４４のドーム形の蓋４５を介してレバー操作稈６６を矢印Ｃの方向に押圧すると、板ばね６１のばね力に抗して栓６２が矢印Ｄの方向に持ち上げられ、栓６２と洗浄水補給孔５３の隙間から清掃シート２０の背面２１側に洗浄水ａが補給される。
【００２１】
ところで、上記清掃シート２０は、図１に示すように、軟質部２０ａと硬質部２０ｂにより形成されている。軟質部２０ａは、単糸繊度が１〜８ｄｔｅｘ程度の細デニールの合成繊維不織布から構成されており、硬質部２０ｂは、単糸繊度が９〜１００ｄｔｅｘ程度の太デニールの合成繊維不織布から構成されている。
なお、軟質部２０ａや硬質部２０ｂは、合成繊維不織布の場合、それぞれ、二層以上で構成されていてもよく、軟質部２０ａおよび／または硬質部２０ｂ、好ましくは軟質部２０ａには、重曹やクエン酸などの洗浄剤が含有されていることが好ましい。
この場合は、洗浄水ａは、水のみで、洗剤が含まれていなくてもよい。
【図面の簡単な説明】
【００２２】
【図１】本発明に係る洗浄具の要部拡大断面図である。
【図２】本発明に係る洗浄具の側面図である。
【図３】連結部の平面図である。
【図４】図３のＸ−Ｘ断面図である。
【図５】連結部の底面図である。
【図６】連結部の背面図である。
【図７】従来の洗浄具の一部断面を含む側面図である。
【符号の説明】
【００２３】
２０  清掃シート
３０  連結部
４０  ホルダ
５０  清掃シート取付け部
６０  洗浄水補給手段
３１  連結部３０の底部
３２  係止針
【図１】
2009045181.tif 000003
【図２】
2009045181.tif 000004
【図３】
2009045181.tif 000005
【図４】
2009045181.tif 000006
【図５】
2009045181.tif 000007
【図６】
2009045181.tif 000008
【図７】
2009045181.tif 000009